(57)【要約】【課題】  テレビの表示装置を支えるスタンドとして機能すると共に、内部にスピーカーを収容したテレビスタンド機能を有するスピーカーボックスの提供。【解決手段】  スピーカーボックス２は底板７と上カバー８で構成し、ウーハースピーカー９を取付けたウーハー固定金具１２は底板７から起立した複数本のポール１３，１３・・・上端に載置され、スピーカーボックス上に載置した上記表示装置１の荷重をウーハー固定金具１２に負荷することで、ウーハースピーカー９から発する重低音に基づく振動を抑制するようにしている。【選択図】    図４
2018152807.tif 000002
【特許請求の範囲】
【請求項１】
テレビの表示装置を支えるスタンドとして機能すると共に、内部にスピーカーを収容したスピーカーボックスにおいて、該スピーカーボックスは底板と上カバーで構成し、ウーハースピーカーを取付けたウーハー固定金具は底板から起立した複数本のポール上端に載置され、スピーカーボックス上に載置した上記表示装置の荷重をウーハー固定金具に負荷することで、ウーハースピーカーから発する重低音に基づく振動を抑制したことを特徴とするテレビスタンド機能を備えたスピーカーボックス。
【請求項２】
上記ウーハー固定金具にはウーハースピーカーを取付ける底板から起立する押圧部を設け、この押圧部を底板から起立する支柱に被せた構造とし、表示装置の荷重を押圧部を介してポール上端に載った底板に負荷した請求項１記載のテレビスタンド機能を備えたスピーカーボックス。
【請求項３】
上記表示装置の下端に表示装置固定具を取付け、該表示装置固定具を介して表示装置の荷重を負荷した請求項１、又は請求項２記載のテレビスタンド機能を備えたスピーカーボックス。
【発明の詳細な説明】
【技術分野】
【０００１】
本発明はテレビスタンドとしての働きを有すスピーカーボックスに関するものである。
【背景技術】
【０００２】
テレビは画像を表すための表示装置を有し、また音声を発生するスピーカーを備えている。ところで、従来の一般的なテレビのスピーカーは、表示装置の両側部に配置され、又は下部に配置されている。すなわち、表示装置を構成している筐体内部に該スピーカーを組み込んだ構造と成っている。
そこで、スピーカーを固定する際には、スピーカーの振動が筐体に伝達することを防止するため、一般にインシュレータ等の防振材や吸振材を介して筐体にスピーカーが取り付けられている。
【０００３】
ところで、表示装置の筐体ではなく、表示装置を支えるスタンドの台座部分にスピーカーを設ける場合もある。
例えば、特開２００８−１５４０８４号に係る「スタンド及び表示装置」はテレビに備わるスピーカーの振動により表示装置が振動することを防止している。
テレビは表示装置とスタンドを備え、表示装置とスタンドとは容易に脱着可能に構成されている。スタンドは台座に当たるスタンドベースと、円筒形状の支柱と、を備え、支柱の内部には、第１及び第２のスピーカーを備えている。
【０００４】
特開２０１１−２３９３７１号に係る「スピーカー付き架台」は、テレビ等をより迫力のある音声・音響として再生することと、強度向上とを両立させるテレビの架台である。
すなわち、上部に物品を載せられる台座を有する架台であって、台座には複数個のスピーカーが組み込まれており、台座の内部空間を仕切る鉛直方向の少なくとも２つの支柱板を有し、支柱板によって仕切られた空間の少なくとも一部は台座外への開口を有するダクトを構成しており、少なくとも１つのスピーカー（好ましくはサブウーハー）は上記台座の内部に組み込まれかつ上記ダクトに向けられている。
【０００５】
これらの他に、特開２００９−２６７５７７号に係る「薄型表示装置」、特開２０１４−１９５１６５号に係る「表示装置の筐体およびテレビジョン受像機」などが知られている。
【特許文献１】特開２００８−１５４０８４号に係る「スタンド及び表示装置」
【特許文献２】特開２０１１−２３９３７１号に係る「スピーカー付き架台」
【特許文献３】特開２００９−２６７５７７号に係る「薄型表示装置」
【特許文献４】特開２０１４−１９５１６５号に係る「表示装置の筐体およびテレビジョン受像機」
【発明の開示】
【発明が解決しようとする課題】
【０００６】
このように、スタンド（架台）にスピーカーを組み込んだテレビは色々知られている。しかし、スピーカー、特にウーハースピーカーから発せられる重低音に基づく振動を効率よく抑制することが出来るスタンドは知られていない。
本発明はスタンドにスピーカーを組み込んで構成したものであり、この点は従来のスタンドと共通している。本発明が解決しようとする課題は、ウーハースピーカーの重低音に基づく振動を抑制するように構成したテレビスタンド機能を有するスピーカーボックスを提供することにある。
【課題を解決するための手段】
【０００７】
本発明が対象とするテレビは表示装置とスタンドから成り、表示装置はスタンドに取付けられて垂直に起立している。ここで、スタンドは表示装置を支えるのみならず、スピーカーを収容するスピーカーボックスとして構成され、中央部には重低音を発生することが出来るウーハースピーカーが下向き（床側向き）に取付けられる。そして、両側部には中音並びに高音を発生するスピーカーが正面向きに配置されている。
【０００８】
該スピーカーボックスの底板中央部には複数本のポールが起立し、これら各ポール上端にウーハースピーカーが配置されるが、該ウーハースピーカーはウーハー固定金具に取付けられ、ウーハー固定金具が上記ポール上端に載って固定されている。
ここで、ウーハー固定金具の形状は限定しないが、一般には底板に穴を貫通し、底板外側には押圧部が起立している。
【０００９】
そして、スピーカーボックスの底板中央部には前記ポールとは別に複数の支柱が起立し、この支柱にウーハー固定金具に設けている押圧部が被覆している。各種スピーカーを取付けた底板には上カバーが被さって取付けられる。
ところで、表示装置には表示装置固定具が取付けられ、この表示装置固定具が底板に起立して設けた支柱に載ってネジ止めされている。この場合、上記支柱と共にウーハー固定金具が共にネジ止めされ、同時に押圧部を介して表示装置の荷重がウーハー固定金具に作用する。
【発明の効果】
【００１０】
本発明のスピーカーボックスは、その内部にスピーカーを収容し、同時に表示装置が載置される。そこで、上記表示装置の中央部下端に取付けた表示装置固定具はウーハースピーカーが配置されているスピーカーボックスの中央部に載り、該ウーハースピーカーを固定することが出来る。すなわち、表示装置の重量がウーハースピーカーを取付けているウーハー固定金具を押えるようにしている。
したがって、ウーハースピーカーから発する低重音に基づく振動を抑制することが出来、高音質をもたらすことが出来る。ここで、ウーハー固定金具及びこのウーハースピーカーを取付ける構造に関しては限定しない。
【図面の簡単な説明】
【００１１】
【図１】スピーカーボックスの上に表示装置を載置したテレビ。
【図２】表示装置とスピーカーボックスが分離している状態。
【図３】図１に示すテレビの展開図。
【図４】スピーカーボックスの内部構造を示す具体例。
【図５】ウーハースピーカーを取付ける構造を示す展開図。
【図６】ウーハースピーカーの取付け構造を示す断面図。
【発明を実施するための形態】
【００１２】
図１は薄型液晶テレビの外観を示す具体例であり、同図の１は表示装置、２はスピーカーボックスを表している。表示装置１はスピーカーボックス２の上に載置されて倒れないようにほぼ垂直に起立している。すなわち、該スピーカーボックス２は内部に複数のスピーカーを収容し、同時に上記表示装置１を垂直に載置するスタンドとして機能している。
【００１３】
図２は表示装置１とスピーカーボックス２が分離した状態を表し、表示装置１は液晶パネルを有した薄い筐体によって構成し、該表示装置１にはスピーカーを取付けていない。そして、スピーカーボックス２は底板と上カバーの２ピースから成り、底板に複数のスピーカーが取付けられ、該スピーカーが取付けられた底板の上に上カバーが被覆されて、その上に表示装置１が垂直に起立して載置される。  
そこで、スピーカーボックス２の上カバー中央部には載置部３が設けられ、上記表示装置１は載置部３に載ってネジ止めされる。
【００１４】
図３は薄型液晶テレビの展開図であり、表示装置１は正面部４とバックカバー５に分離され、正面部４には２本の表示装置固定具６，６が取付けられる。そして、バックカバー５は正面部４に取付けられ、該表示装置１は表示装置固定具６，６を介してスピーカーボックス２にネジ止めされる。ネジ止め方法は特に限定しないが、本実施例においてはスピーカーボックス２の底側からネジを挿通して螺合することが出来る構造としている。
【００１５】
図４はスピーカーボックス２の内部構造を示す具体例であり、スピーカーボックス２は底板７と上カバー８を有し、該底板７には中央にウーハースピーカー９、そして両側にスピーカー１０，１０及びスピーカー１１，１１を取付けている。
本発明のスピーカーボックス２はウーハースピーカー９の取付け構造に特徴があり、該ウーハースピーカー９から発生する重低音にて他の部材が振動しないように構成している。
【００１６】
本実施例において、上記スピーカー１０，１０、及びスピーカー１１，１１は底板７にネジ止めして固定されているだけであるが、ウーハースピーカー９は底板７に固定されると共に、表示装置１の重量が付加されて振動を抑制した取付け構造と成っている。
ウーハースピーカー９はウーハー固定金具１２の底板１８に形成している穴２０に嵌ってネジ止めにて固定され、該ウーハー固定金具１２は底板７に起立している複数本のポール１３，１３・・・の上端に載って支持・固定される。
【００１７】
ところで、ウーハー固定金具１２はその両側に押圧部１４，１４を起立し、背面側にも押圧部１５を起立している。該押圧部１４，１４，１５は底板１８と連続した１枚の金属板を曲げ成形したもので、上板と側板を有している。
そして、底板７からは中央両側に支柱１６，１６が起立し、中央背面側にも支柱１７，１７が起立している。上記ウーハー固定金具１２の押圧部１４，１４は支柱１６，１６に被さり、同じく押圧部１５は支柱１７，１７に被さってネジ止めされる。
【００１８】
図５は上記ウーハースピーカー９の取付け構造を示す展開図であり、同図の７は底板、９はウーハースピーカー、１２はウーハー固定金具、８は上カバーを表している。
図６は分離している底板７、ウーハースピーカー９、ウーハー固定金具１２、上カバー８が組み立てられたスピーカーボックス２の一部断面を表している。
【００１９】
図６に示すように、ウーハースピーカー９を取付けたウーハー固定金具１２の底板１８はポール１３，１３・・・の上端に載ってネジ止めされている。そして、表示装置１の下端に取付けた表示装置固定具６，６は、支柱１６，１６に被さった押圧部１４，１４の上に載り、底から挿入して螺合するネジ１９，１９・・・にて固定される。
【００２０】
ところで、表示装置１の荷重は支柱１６，１６に作用して支えられるが、ウーハー固定金具１２にも働き、ウーハースピーカー９から発生する重低音による振動が抑制されるように成っている。すなわち、ウーハー固定金具１２の押圧部１４，１４に表示装置１の荷重が働き、ウーハースピーカー９を取付けている底板１８をポール１３，１３・・・に押圧して固定している。従って、ウーハー固定金具１２の振動は抑制される。
上記実施例では、ポール１３，１３・・・の上端にウーハースピーカー９を取付けたウーハー固定金具１２の底板１８が載っているが、ウーハースピーカー９をポール１３，１３・・・に載せて底板１８にて押圧することも出来る。
【００２１】
本発明は、スピーカーボックス２の上に載置した表示装置１の荷重をウーハースピーカー９に負荷して、該ウーハースピーカー９から発生する重低音による振動が抑制される構成としたものであるが、本実施例で示した負荷構造はあくまでも１具体例である。ウーハー固定金具１２の形状にしても実施例に限定はせず、またスピーカーボックス２の形状も自由である。
【符号の説明】
【００２２】
１   表示装置
２   スピーカーボックス
３   載置部
４   正面部
５   バックカバー
６   表示装置固定具
７   底板
８   上カバー
９   ウーハースピーカー
10   スピーカー
11   スピーカー
12   ウーハー固定金具
13   ポール
14   押圧部
15   押圧部
16   支柱
17   支柱
18   底板
19   ネジ
20   穴
【図１】
2018152807.tif 000003
【図２】
2018152807.tif 000004
【図３】
2018152807.tif 000005
【図４】
2018152807.tif 000006
【図５】
2018152807.tif 000007
【図６】
2018152807.tif 000008